(57)【要約】      （修正有）【課題】自動カッター交換装置のスイング式カッターソケット改良構造を提供する。【解決手段】スイング式カッターソケットＡは、取付側とカッター差込側を備えるソケット主体１０が備わり、取付側１１には取付軸が通るための貫通軸穴１１１が設けられ、ソケット主体のカッター差込側１２に設けられる内凹状のカッター差込溝が備わり、カッター差込溝はカッター導入口と縮径状の嵌合セクションを備える。さらに、ソケット主体外部の片側に設けられる被動部が備わり、カッター差込溝の嵌合セクションに埋設固定される複数の鋼球貫通穴４１を備える金属内リング４０が備わり、取付側に近接したソケット主体には複数の位置決め鋼球が備わり、位置決め鋼球の内側が金属内リングにある鋼球貫通穴にはみ出され、位置決め鋼球は、またスプリングに支持されリセットする弾力を持ち、少なくとも、ソケット主体の取付側内部に更に埋設固定される金属補強板５０が一つ備わる。【選択図】図２
0003173755.tif 000002
【実用新案登録請求の範囲】
【請求項１】
自動切削加工機の自動カッター交換装置にあるガイドチェーン（０１）の片側に設けられ、ガイドフレーム（０２）の導きによりスイングすることになるスイング式カッターソケット（Ａ）であって、
プラスチックで作られ、取付側（１１）とカッター差込側（１２）を備えてなるソケット主体（１０）が備わり、該取付側（１１）には、取付軸（１３）が通るための貫通軸穴（１１１）が設けられており、
該ソケット主体（１０）の取付側（１１）に設けられる逃げ面（１４）が備わり、
該ソケット主体（１０）のカッター差込側（１２）に設けられる内凹状のカッター差込溝（２０）が備わり、該カッター差込溝（２０）は、カッター導入口（２１）及び該カッター差込溝（２０）の内側に設けられる縮径状の嵌合セクション（２２）を備えてなり、
該ガイドフレーム（０３）に導かれ、該ソケット主体（１０）外部の片側に設けられる被動部（３０）が備わり、
該カッター差込溝（２０）の嵌合セクション（２２）に埋設固定され、間隔を置いてリング状に並んでいる複数の鋼球貫通穴（４１）を備えてなる金属内リング（４０）が備わり、
取付側（１１）に近接した該ソケット主体（１０）には、間隔を置いてリング状に並んでいる複数の位置決め鋼球（４２）が備わり、それに対する該位置決め鋼球（４２）の内側が金属内リング（４０）にある鋼球貫通穴（４１）にはみ出され、該位置決め鋼球（４２）はまた、スプリング（４３）に支持され、リセットする弾力を持つことになり、
少なくとも、該ソケット主体（１０）の取付側（１１）内部に埋設固定される金属補強板（５０）が一つ備わり、該金属補強板（５０）は、接続側（５１）と伸び側（５２）を備えてなり、該接続側（５１）は金属内リング（４０）と係合し、該伸び側（５２）は、該取付側（１１）にある貫通軸穴（１１１）を越えて伸びるように設けられ、そして該金属補強板（５０）の伸び側（５２）には、該貫通軸穴（１１１）に対応した所に穿設孔（５３）が設けられ、それにより、共に取付軸（１３）に貫通されるように設けられており、
該金属内リング（４０）から貫通軸穴（１１１）までの間は、該金属補強板（５０）により、剛性連結補強効果が得られ、ソケット主体（１０）の構造強度が高められることを特徴とする自動カッター交換装置のスイング式カッターソケット改良構造。
【請求項２】
該自動カッター交換装置にあるガイドチェーン（０１）は、複数のユニットチェーンプレート（０３）と各ユニットチェーンプレート（０３）をつなぐための接続ピン（０４）を備えてなり、該金属補強板（５０）を設けられたソケット主体（１０）の取付側（１１）外部には更に、逆Ｕ字接続フレーム（６０）が設けられており、該逆Ｕ字接続フレーム（６０）は、一つの端板部（６１）と二つの側板部（６２）を備えてなり、該二側板部（６２）には、ソケット主体（１０）の取付側（１１）にある貫通軸穴（１１１）に対応した所に対向した透孔（６３）が設けられ、それにより、共に該取付軸（１３）に貫通されるようになり、該端板部（６１）は直接に該ガイドチェーン（０１）の片側のユニットチェーンプレート（０３）として用いられるが、該端板部（６１）には、間隔を空けて配置され、ガイドチェーン（０１）の接続ピン（０４）の片側が差込接続するための設置孔（６１１）が二つあり、また、該逆Ｕ字接続フレーム（６０）の端板部（６１）の片側の対向した両隅には、食付き角（６４）が設けられていることを特徴とする請求項１に記載の自動カッター交換装置のスイング式カッターソケット改良構造。
【請求項３】
該金属補強板（５０）は、二つの板がペアに配置されてなり、または一つの逆Ｕ字板からなるものであることを特徴とする請求項１または請求項２に記載の自動カッター交換装置のスイング式カッターソケット改良構造。
【考案の詳細な説明】
【技術分野】
【０００１】
本考案は、自動カッター交換装置のスイング式カッターソケット改良構造に関わり、特に金属補強板により、ソケット主体構造の強度を高めるオリジナルな形態設計に関する。
【背景技術】
【０００２】
自動切削加工機の自動カッター交換装置（略称ＡＴＣ）は設計上、カッター交換の時、通常は中継装置にて行われるが、カッター交換対象のカッターソケットは、該中継装置に送られたとき、他のカッターソケットにより阻害されないための装置を設けることにより、カッター交換をうまく行わせるようにするが、このようなニーズに応えるため、従来の構造にあっては、プッシュ装置の増設により、交換対象のカッターソケットをレールから一定の距離まで押し出すことになるが、そのような構造は非常に複雑で、筐体の空間もかかるため、それに続いて、関連業者がもう一つ従来よく知られている構造を開発したが、それは、カッターソケットの移動レールには、駆動シリンダー、及び該駆動シリンダーの駆動により動くスイング式ガイドフレームが設けられており、交換対象のカッターソケットが中継装置に着くと、交換対象のカッターソケットに隣り合った両側のカッターソケットが該スイング式ガイドフレームに引っ掛けられ、所定角度にスイングされ、不必要な接触を避けることにより、カッター交換を順調に行わせる目的を達成させる。
【０００３】
上述した内容を踏まえて、本考案は、該スイング式のカッターソケット構造について検討して改良されたものであり、従来のスイング式カッターソケット構造は、軽量化と形作りやすさなどを考慮に入れたため、通常は、プラスチックで成形された主要な仕組み、及び内部のカッター収納溝の内側には、カッターを嵌め込む所に更に、嵌入用鋼球に剛性の向上した収納部を与えるための金属リングが設けられているが、しかしながら、このような従来の構造では、実際の応用経験から見ると、やはり次のような問題点があると分かった。
【０００４】
該スイング式カッターソケットは使用中、頻繁にスイングすることになり、スイングするたびに、カッターの先端の傾斜角度が変化するが、そこで、カッターを嵌め込む所に一定の径方向力を与えるが、該カッターを嵌め込む所には、剛性向上用の金属リングが設けられているが、該金属リングとカッターソケット端部の回転軸との間は、比較的に脆いプラスチック製の当接部であるため、カッターソケットを暫く使用したあと、この脆い部位にひび割れがよく起こり、断裂まで起こることもあるという問題点がある。
【０００５】
それゆえ、上述したように、従来の自動カッター交換装置のカッターソケット構造に存在する問題点について、より理想的で実用性のあるオリジナルな構造を開発するのが、業者が更に研究開発に取り組んでいく目標と方向でもある。
【０００６】
それを鑑みて、考案者は、関連製品の製造開発と設計に携わる長年の経験を持っており、上述した目標について詳しく設計、慎重に評価したうえ、ようやく実用性のある本考案を得られたわけである。
【考案の概要】
【考案が解決しようとする課題】
【０００７】
本考案は、自動カッター交換装置のスイング式カッターソケット改良構造を提供することを目的とし、解決しようとする課題は、より理想的で、実用性のある新しいカッターソケット構造を開発、改良することにある。
【課題を解決するための手段】
【０００８】
自動切削加工機の自動カッター交換装置にあるガイドチェーンの片側に設けられ、ガイドフレームの導きによりスイングすることになる該スイング式カッターソケットであり、プラスチックで作られ、取付側とカッター差込側を備えてなるソケット主体が備わり、該取付側には、取付軸が通るための貫通軸穴が設けられており、ソケット主体の取付側に設けられる逃げ面、ソケット主体のカッター差込側に設けられる内凹状のカッター差込溝が備わり、該カッター差込溝は、カッター導入口と縮径状の嵌合セクションを備えてなり、ガイドフレームに導かれ、ソケット主体外部の片側に設けられる被動部が備わり、該カッター差込溝の嵌合セクションに埋設固定される金属内リングが備わり、該金属内リングには複数の鋼球貫通穴が設けられており、取付側に近接した該ソケット主体には、間隔を置いてリング状に並んでいる複数の位置決め鋼球が備わり、それに対する該位置決め鋼球の内側が金属内リングにある鋼球貫通穴にはみ出され、該位置決め鋼球はまた、スプリングに支持され、リセットする弾力を持つことになる。
【０００９】
本考案の課題を解決するための技術特徴として、少なくとも、該ソケット主体の取付側内部に更に埋設固定される金属補強板が一つ備わり、該金属補強板は、接続側と伸び側を備えてなり、該接続側は金属内リングと係合し、該伸び側は、該取付側にある貫通軸穴を越えて伸びるように設けられ、そして該金属補強板の伸び側には、該貫通軸穴に対応した所に穿設孔が設けられ、それにより、共に取付軸に貫通されるように設けられていることを特徴とする該スイング式カッターソケットであり、このようなオリジナルな設計により、本考案は背景技術に比べると、該金属内リングから貫通軸穴までの間は、該金属補強板により、剛性連結補強効果が得られ、ソケット主体構造の強度が高められ、スイング式カッターソケットの使用寿命が延び、品質が向上するという実用性、進歩性があることである。
【考案の効果】
【００１０】
本考案による効果向上の事実は次の通りである。
【００１１】
本考案に掲示した“自動カッター交換装置のスイング式カッターソケット改良構造”では、該ソケット主体の取付側内部に更に該金属補強板を埋設固定し、そして、該金属補強板の伸び側に貫通軸穴に対応した穿設孔を設けて、共に取付軸に貫通されるように設けられているオリジナルな設計により、本考案は、「背景技術」に述べた従来の技術に比べると、該金属内リングから貫通軸穴までの間は、該金属補強板により、剛性連結補強効果が得られ、更にソケット主体構造の強度が高められ、スイング式カッターソケットの使用寿命が延び、品質が向上するという実用性、進歩性があることである。
【図面の簡単な説明】
【００１２】
【図１】本考案の実施例の立体図である。
【図２】本考案の実施例の立体透視図である。
【図３】本考案の実施例の組立断面図である。
【図４】本考案の実施例の金属補強板が二つの板からなる場合の様子を示す図である。
【図５】本考案の実施例の金属補強板が一つの逆Ｕ字板からなる場合の様子を示す図である。
【図６】本考案の実施例の逆Ｕ字接続フレームとガイドチェーンを組み立てた場合の分解立体図である。
【図７】本考案の実施例の作動図である。
【図８】本考案の実施例の逆Ｕ字接続フレームとガイドチェーンを組み立てた場合の平面側面図である。
【図９】本考案の実施例の逆Ｕ字接続フレームとガイドチェーンを組み立てたときの平面上面図である。
【考案を実施するための形態】
【００１３】
図１〜図９に示すのは、本考案の自動カッター交換装置のスイング式カッターソケット改良構造の好適な実施例であるが、これらの実施例は、説明のみに用いられるもので、実用新案登録請求の際、これらの構造に制限されないものとする。
【００１４】
既有自動切削加工機の自動カッター交換装置にあるガイドチェーン０１の片側に設けられ、ガイドフレーム０２の（フック形態でもよい）導きにより、スイングすることになる該スイング式カッターソケットＡは、プラスチックで作られ、取付側１１とカッター差込側１２を備えてなるソケット主体１０が備わり、該取付側１１には、取付軸１３が通るための貫通軸穴１１１が設けられており、該ソケット主体１０の取付側１１に設けられる逃げ面１４が備わり、図３に示すように該ソケット主体１０のカッター差込側１２に設けられる内凹状のカッター差込溝２０が備わり、該カッター差込溝２０は、カッター導入口２１及び該カッター差込溝２０の内側に設けられる縮径状の嵌合セクション２２を備えてなり、アンダーカット板でもよいが、該ガイドフレーム０３に導かれ、該ソケット主体１０外部の片側に設けられる被動部３０が備わり、該カッター差込溝２０の嵌合セクション２２に埋設固定され、間隔を置いてリング状に並んでいる複数の鋼球貫通穴４１を備えてなる金属内リング４０が備わり、取付側１１に近接した該ソケット主体１０には、間隔を置いてリング状に並んでいる複数の位置決め鋼球４２（図３のみ表示）が備わり、それに対する該位置決め鋼球４２の内側が金属内リング４０にある鋼球貫通穴４１にはみ出され、該位置決め鋼球４２はまた、スプリング４３に支持され、リセットする弾力を持つことになり、図２、図３に示すように、少なくとも、該ソケット主体１０の取付側１１内部に埋設固定される金属補強板５０が一つ備わり、該金属補強板５０は、接続側５１と伸び側５２を備えてなり、該接続側５１は金属内リング４０と係合し、該伸び側５２は、該取付側１１にある貫通軸穴１１１を越えて伸びるように設けられ、そして該金属補強板５０の伸び側５２には、該貫通軸穴１１１に対応した所に穿設孔５３が設けられ、それにより、共に取付軸１３により貫通されるように設けられており（図６）、該金属内リング４０から貫通軸穴１１１までの間は、該金属補強板５０により、剛性連結補強効果が得られ、ソケット主体１０の構造強度が高められることを特徴とする。
【００１５】
該金属補強板５０は、二つの板がペアに配置されてなり（図４）、または一つの逆Ｕ字板からなる（図５）ものである。
【００１６】
図６に示すように、該自動カッター交換装置にあるガイドチェーン０１は、複数のユニットチェーンプレート０３と各ユニットチェーンプレート０３をつなぐための接続ピン０４を備えてなり、該金属補強板５０が設けられたソケット主体１０の取付側１１外部には更に、逆Ｕ字接続フレーム６０が設けられており、該逆Ｕ字接続フレーム６０は、一つの端板部６１と二つの側板部６２を備えてなり、該二側板部６２には、ソケット主体１０の取付側１１にある貫通軸穴１１１に対応した所に対向した透孔６３が設けられ、それにより、共に該取付軸１３により貫通されるようになり、該端板部６１は直接に該ガイドチェーン０１の片側のユニットチェーンプレート０３として用いられるが、該端板部６１には、間隔を空けて配置され、ガイドチェーン０１の接続ピン０４の片側が差込接続するための設置孔６１１が二つあり、また、該逆Ｕ字接続フレーム６０の端板部６１の片側の対向した両隅には、食付き角６４が設けられ、それにより、ガイドチェーン０１が曲がるときの曲がったルート（図８）にも、相互に干渉されないようにする。
【００１７】
上述した構造、組立と設計により、本考案の使用、作動について次のように説明する。
【００１８】
図７に示すように、該駆動シリンダー６５により、該ガイドフレーム０２をスイングさせ（図（ｂ）の矢印Ｒ１）、それにより、該スイング式カッターソケットＡの作動を行わせるようにするが、該スイング式カッターソケットＡは使用中、頻繁にスイングすることになり、スイングするたびに、一定の径方向力が生じられることで、脆い部位にひび割れ、断裂まで起こりやすくなるという問題点があるが、該金属内リング４０から貫通軸穴１１１までの間に該金属補強板５０を増設した技術特徴により、剛性連結補強効果が得られ、ソケット主体１０の構造強度が高められ、スイング式カッターソケットＡの使用寿命が延び、品質が向上する。
【００１９】
上述した実施例に掲示したのは、本考案の具体的な説明に用いられる内容であり、文の中で特定な専門用語で説明してきたが、それを以って、本考案の実用新案登録請求範囲を制限してはならず、この技術分野の分かるものが、本考案のコンセプトと考えを理解したうえ、その変更や改造などを行って、それと同等な効果を得たとしても、それらの変更や改造などは、すべて本考案の実用新案登録請求範囲に含まれるものとする。
【符号の説明】
【００２０】
Ａ  スイング式カッターソケット
０１  ガイドチェーン
０２  ガイドフレーム
０３  ユニットチェーンプレート
０４  接続ピン
１０  ソケット主体
１１  取付側
１１１  貫通軸穴
１２  カッター差込側
１３  取付軸
１４  逃げ面
２０  カッター差込溝
２１  カッター導入口
２２  嵌合セクション
３０  被動部
４０  金属内リング
４１  鋼球貫通穴
４２  位置決め鋼球
４３  スプリング
５０  金属補強板
５１  接続側
５２  伸び側
５３  穿設孔
６０  逆Ｕ字接続フレーム
６１  端板部
６１１  設置孔
６２  側板部
６３  透孔
６４  食付き角
６５  駆動シリンダー
【図１】
0003173755.tif 000003
【図２】
0003173755.tif 000004
【図３】
0003173755.tif 000005
【図４】
0003173755.tif 000006
【図５】
0003173755.tif 000007
【図６】
0003173755.tif 000008
【図７】
0003173755.tif 000009
【図８】
0003173755.tif 000010
【図９】
0003173755.tif 000011